(57)【要約】【課題】  カード取り出し時に手にぶつかる問題を解決し、構造と部品を簡素化し、耐用性を向上したカードリーダを提供すること。【解決手段】  スライド座部２は一体成形の箱状で、左右のフランジ部２１に前後方向に向いたスライド用の長孔２２を備え、筐体底部の規制部により前後の移動が規制されて往復移動ができ、スライド座部２の後方に後方バネ２４が設置され、その張力によりスライド座部２が元の位置を回復する。取り出しボタン３は単一部品であり、操作ノブ３１、開口孔３２、バネ嵌置部３３及び突出片３４を含み、操作ノブ３１はボタン正面に位置し、開口孔はボタンの後方部分に位置し、且つ筐体底部の規制部により左右方向の移動が規制され、バネ嵌置部にはバネ３５が挿入され、突出片は先端に傾斜部を有してボタンの側面に位置し、取り出し式のカードリーダ本体Ｅの嵌合部Ｅ１と相互に嵌合される。【選択図】          図３
0003109572.tif 000002
【実用新案登録請求の範囲】
【請求項１】
前記筐体の前面に取り出しボタンが配置され、前記筐体の前後方向に、取り出し式のカードリーダ本体を収納するスライド座部が摺動自在に設けられると共に、前記スライド座部の後方に配置された後方バネにより、前記スライド座部が前方に向けて付勢され、前記取り出しボタンへの操作によって、前記カードリーダ本体と前記取り出しボタンの突出片との係合が解除され、前記スライド座部が前記筐体に対して前方に移動することで、前記カードリーダ本体の取り出しが行われるカードリーダにおいて、
前記スライド座部の左右にフランジ部が設けられると共に、前記左右のフランジ部に前記筐体の前後方向に向いたスライド用の長孔がそれぞれ設けられ、前記筐体の底部に前記左右のスライド用の長孔に対応したスライド用の規制部がそれぞれ設けられ、前記左右のスライド用の長孔内に前記スライド用の規制部がそれぞれ挿通されて前記筐体の前後方向に前記スライド座部が摺動自在に設けられ、
前記取り出しボタンは、前面に操作ノブを備えると共に、前記筐体の左右方向中央に向いた側縁が開口した左右方向のスライド用の開口孔と、前記筐体の左右方向中央に向けて突出した突出片と、左右方向に向いたバネ嵌置部とが一体に設けられた単一部品であり、前記突出片の先端に、前方から後方に向けて前記筐体の左右方向中央に向けて傾斜する傾斜部が形成され、前記筐体の底部に前記スライド用の開口孔に対応したボタン移動用の規制部が設けられ、前記スライド用の開口孔に前記ボタン移動用の規制部が係合されて前記筐体の前面において前記取り出しボタンが前記筐体の左右方向に摺動自在に設けられると共に、前記バネ嵌置部に挿入されたバネにより、前記取り出しボタンが前記筐体の左右方向中央に向けて付勢がかけられることにより、前記ボタン移動用の規制部が前記スライド用の開口孔の端部に当接する位置に該取り出しボタンが移動復帰自在とされ、
前記取り出しボタンの横方向への移動操作によって、前記カードリーダ本体と前記取り出しボタンの突出片との係合が解除され、前記スライド座部が前記筐体に対して前方に移動することで、前記カードリーダ本体の取り出しが行われることを特徴とするカードリーダ。
【考案の詳細な説明】
【技術分野】
【０００１】
本考案は、取り出し式のカードリーダ本体が挿入・取り出しされるカードリーダに関する。
【背景技術】
【０００２】
現在、一般的なカードリーダ及びメモリカード座体の技術領域において、小型化及び複数種の挿入機能が主な設計のポイントとなっているが、長い間メモリカードには大きな変化や関連技術の進歩性がなく、完全に挿入・接続のためのみを目的としており、そのため、構造上も変化に乏しい。現在は、デスクトップコンピュータ、デジタルカメラ、ノートブックコンピュータ、ＰＤＡ等、市場と消費者になじみの深い有名な電子製品が多種あり、電子製品は多元化して数え切れないほどあるが、これらの商品においてメモリカードは非常に重要な役割を果たしており、特に、コンピュータ領域において使用される拡充メモリ能力は、メモリカードのレベルの高低により、その実用性には強弱及び対比的な違いがある。当然、この優れた電子精密製品の選択おいて、消費者がまず一番に考慮するのは、拡充能力の強さ、体積の小ささ、軽さ、薄さ、取り出しの利便性、耐用性であり、現在のカードリーダ及びメモリカードは、この目標に向かって努力が未だ不足している。
【０００３】
図１に従来のカードリーダの構造を示す。カードリーダのハードウェア部分は、主に筐体Ｄ１、スライド座部Ｄ２及び取り出しボタンＤ３から構成され、そのうち、スライド座部Ｄ２は、嵌入座体Ｄ２１とスライド部Ｄ２２の２つの部分に分けられ、嵌入座体Ｄ２１は筐体Ｄ１の底部に固定され、且つ、嵌入座体Ｄ２１にスライド用の孔（図示せず）が開設され、スライド部Ｄ２２に設けた滑動部Ｄ２２１が該スライド用の孔に組み込まれ往復の滑動が行われる。次に、スライド座部Ｄ２の後方の中央位置に後方バネＤ２３が設置され、スライド座部Ｄ２全体に位置回復力が提供される。さらに、筐体Ｄ１の前面の端に取り出しボタンＤ３が設置され、取り出しボタンＤ３を真っ直ぐに押圧すると、突出片Ｄ３１が横方向に戻り、取り出しが行われる。このため、取り出し式のカードリーダ本体の位置決めの正確性が不足していたり、或いは突出片Ｄ３１に磨耗が発生したりすると、突出片Ｄ３１の断裂や、取り出し式のカードリーダ本体からメモリカードが抜け落ちたりする重大な問題が発生する。本考案のカードリーダは、上述の問題と、以下にまとめる従来品の欠点に対応したものである。
【０００４】
従来のカードリーダは、スライド座部Ｄ２または取り出しボタンＤ３の部分どちらをとっても、その構造形態から部品数の増加が免れず、コスト面で大きな問題となる。さらに重要なのは、部品が増加する状況下において、その構造機能性は増進されておらず、このため、製品品質及び市場での価格競争力に大きく影響している。また、従来のカードリーダは、その構造形態から派生する部品数の増加の問題により、組み立て及び生産速度が遅くなってしまい、量産における最大のネックとなっている。特に、困難な組み立て加工手順が品質の問題をさらに大きくしており、不良品の増加を招いている。さらに、従来のカードリーダは、取り出しボタンＤ３の設計が不良であるため、毎回メモリカードを取り出す瞬間に、カードが飛び出して操作者の手にぶつかるという問題がある。同時に、取り出しボタンＤ３は、その部品構造が複雑であり、さまざまな故障の問題につながるため、革新と改良の必要がある。
【考案の開示】
【考案が解決しようとする課題】
【０００５】
上述の問題に鑑みて、本考案の目的は、構造を簡素化し、耐用性が高く、横方向のボタン操作方式を採用することで、従来品の欠点を完全に克服し、同時に、スライド座部の設計において、従来の２つの部分から構成される設計を単一構造の部品とすることで、予期した通りの良好な機能を得ることができ、また、取り出しボタンを、同様に簡素化した構造で部品の使用数を減らし、耐用性が向上されると共により使いやすいカードリーダを提供することにある。
【課題を解決するための手段】
【０００６】
本考案のカードリーダは、前記筐体の前面に取り出しボタンが配置され、前記筐体の前後方向に、取り出し式のカードリーダ本体を収納するスライド座部が摺動自在に設けられると共に、前記スライド座部の後部に配置された後方バネにより、前記スライド座部が前方に向けて付勢され、前記取り出しボタンへの操作によって、前記カードリーダ本体と前記取り出しボタンの突出片との係合が解除され、前記スライド座部が前記筐体に対して前方に移動することで、前記カードリーダ本体の取り出しが行われるものであって、上記課題を解決するために、前記スライド座部の左右にフランジ部が設けられると共に、前記左右のフランジ部に前記筐体の前後方向に向いたスライド用の長孔がそれぞれ設けられ、前記筐体の底部に前記左右のスライド用の長孔に対応したスライド用の規制部がそれぞれ設けられ、前記左右のスライド用の長孔内に前記スライド用の規制部がそれぞれ挿通されて前記筐体の前後方向に前記スライド座部が摺動自在に設けられ、前記取り出しボタンは、前面に操作ノブを備えると共に、前記筐体の左右方向中央に向いた側縁が開口した左右方向のスライド用の開口孔と、前記筐体の左右方向中央に向けて突出した突出片と、左右方向に向いたバネ嵌置部とが一体に設けられた単一部品であり、前記突出片の先端に、前方から後方に向けて前記筐体の左右方向中央に向けて傾斜する傾斜部が形成され、前記筐体の底部に前記スライド用の開口孔に対応したボタン移動用の規制部が設けられ、前記スライド用の開口孔に前記ボタン移動用の規制部が係合されて前記筐体の前面において前記取り出しボタンが前記筐体の左右方向に摺動自在に設けられると共に、前記バネ嵌置部に挿入されたバネにより、前記取り出しボタンが前記筐体の左右方向中央に向けて付勢がかけられることにより、前記ボタン移動用の規制部が前記スライド用の開口孔の端部に当接する位置に該取り出しボタンが移動復帰自在とされ、前記取り出しボタンの横方向への移動操作によって、前記カードリーダ本体と前記取り出しボタンの突出片との係合が解除され、前記スライド座部が前記筐体に対して前方に移動することで、前記カードリーダ本体の取り出しが行われることを特徴とする。
【考案の効果】
【０００７】
本考案によれば、上記構成であるため、部品の使用数を大幅に減らすことができ、組み立て加工及び製造コストの負担において直接的な恩恵を受けることができ、同時に、時間的コストも大幅に節約され、量産化及び低コスト化の最終目標の達成に有益である。また、カードリーダを横方向のカード取り出しボタンで操作でき、従来のカードリーダの取り出す瞬間にカードが手にぶつかるという問題を回避することができる。
【考案を実施するための最良の形態】
【０００８】
以下、本考案の実施の形態を図面を参照して説明する。図２は、本考案の実施形態に係るカードリーダの斜視図であり、図３は、実施形態のカードリーダを分解して示す斜視図である。また、図４は、カードリーダの平面図であり（カードリーダの挿入動作を示す）、図５は図４のＡ−Ａ線で破断した断面図である。図２、図３に示すように、本考案のカードリーダは、概略として、筐体１、スライド座部２及び取り出しボタン３から構成される。スライド座部２はプラスチック射出成形で一体成形された箱型の構造をなし、取り出し式のカードリーダ本体Ｅを収納するための収納部２５を備える。収納部２５は、前方及び下方が開放され、かつ上方、後方及び左右側方がそれぞれ壁により閉鎖されており、その内部にカードリーダ本体Ｅの中間部から後部が収納される。収納部２５の下部には、左右側方及び後方に亘って張り出す板状のフランジ部２１が設けられ、収納部２５の左方及び右方となるフランジ部２１の左側部及び右側部には、スライド用の長孔２２が前後方向に向けてそれぞれ設けられている。
【０００９】
一方、筐体１の底面には、スライド座部２に設けられた左右のスライド用の長孔２２，２２に対応したスライド用の柱状の規制部２６，２６がそれぞれ設けられている。スライド座部２は、左右のスライド用の長孔２２，２２に規制部２６，２６が挿通された後、上方からねじ２３，２３が規制部２６，２６に対してそれぞれねじ込まれることにより、スライド座部２が上下方向にガタつきなく筐体１に取り付けられると共に、規制部２６，２６によって規制される長孔２２，２２の前端から後端の範囲内で、筐体１に対して前後方向に摺動可能に設けられる。図４及び図５に示すように、スライド座部２の後方中央には後方バネ２４が設置され、後方バネ２４はバネ固定部品２４１により位置決めされている。後方バネ２４の前端はスライド座部２の後部に設けられた穴２７内で当接されており、スライド座部２を前方に向けて押し出す方向に付勢している。
【００１０】
図６は取り出しボタン３の平面図であり、図７は取り出しボタン３の正面図である。図６に示すように、取り出しボタン３は、単一部品の構造であり、操作ノブ３１、開口孔３２、バネ嵌置部３３及び突出片３４を含んで構成されている。操作ノブ３１は取り出しボタン３の正面（前面）に突設され、操作者により横方向（右方）へ動かす操作が操作ノブ３１に対して行われる。
【００１１】
開口孔３２は、取り出しボタン３の後部において左方に開口した半長孔よりなる。バネ嵌置部３３は、操作ノブ３１の後方内側に設けられ、筐体１の左右方向に沿う筒状をなす。バネ嵌置部３３にはバネ３５が挿入され、該バネ３５の一端は取り出しボタン３に当接され、バネ３５の他端は筐体１の右側面板１１に当接される。突出片３４は、取り出しボタン３の左側面に設けられ、突出片３４の先端には、前方から後方に向けて左方に傾斜する傾斜部３６が形成されている。該突出片３４は、図３及び図６に示すように、取り出し式のカードリーダ本体Ｅの前部寄りの右側面下部に開設された嵌合切欠部Ｅ１に嵌合される。
【００１２】
また、筐体１の底面の前部右側寄りには、取り出しボタン３の横方向の移動範囲を規制するボタン移動用の規制部（図示せず）が設けられている。取り出しボタン３は、開口孔３２に前記ボタン移動用の規制部が挿通された後、上方からねじが前記ボタン移動用の規制部に対してねじ込まれることにより、取り出しボタン３が上下方向にガタつきなく筐体１に取り付けられる。また、取り出しボタン３は、バネ嵌置部３３内に挿入されたバネ３５により、筐体１の左右方向中央（図１０の左方）に向けて付勢されている。従って、取り出しボタン３は、前記規制部によって規制される開口孔３２の右端から左側の開口の範囲内で、筐体１に対して横方向（筐体１の左右方向）に摺動可能に設けられると共に、ボタン移動用の規制部がスライド用の開口孔３２の端部に当接する位置に該取り出しボタン３が移動復帰自在とされる。なお、取り出しボタン３の操作ノブ３１は、筐体１の前面右側寄りに開設した開口部１２を通して前方に突出した状態で配置される。
【００１３】
図８は、カードリーダの平面図であり（カードリーダの取り出し動作を示す）、図９は図８のＢ−Ｂ線で破断した断面図であり、図１０は図８のＣ−Ｃ線で破断した断面図である。図４及び図５と図８及び図９に示すように、スライド座部２の摺動距離は、取り出し式のカードリーダ本体Ｅを挿入する際の移動距離に等しい。
【００１４】
カードリーダ本体Ｅをスライド座部２に挿入すると、まず、カードリーダ本体Ｅの右側面が取り出しボタン３の突出片３４の先端に形成された傾斜部３６に当接して該傾斜部３６を押圧することにより、取り出しボタン３がバネ３５の付勢力に抗して一時的に筐体１に対して右方向に移動する。また、カードリーダ本体Ｅの後部がスライド座部２に完全に挿入され、さらに、カードリーダ本体Ｅを後方に向けて押し込むと、後方バネ２４を押し縮めながらスライド座部２が後方に向けて移動する。そして、カードリーダ本体Ｅの右側面に設けられた嵌合切欠部Ｅ１が取り出しボタン３の突出片３４の左側方まで移動すると、バネ３５の付勢により取り出しボタン３が筐体１に対して左方向に移動し、取り出しボタン３の突出片３４が挿入された取り出し式のカードリーダ本体Ｅの嵌合切欠部Ｅ１に嵌入し、スライド座部２と取り出し式のカードリーダ本体Ｅの両者が、取り出しボタン３の嵌入作用により位置決めされる。
【００１５】
カードリーダ本体Ｅの取り出しは、取り出しボタン３を横方向に（筐体１の右側に向けて）押すと、取り出し式のカードリーダ本体Ｅの嵌合切欠部Ｅ１から取り出しボタン３の突出片３４が離脱し、同時に、スライド座部２の後方バネ２４の付勢力により、挿入された取り出し式のカードリーダ本体Ｅが前方に押し出され、取り出しの操作が完了する。
【図面の簡単な説明】
【００１６】
【図１】従来のカードリーダの平面図である。
【図２】本考案の実施形態に係るカードリーダの斜視図である。
【図３】実施形態のカードリーダを分解して示す斜視図である。
【図４】実施形態のカードリーダの（挿入動作を示す）平面図である。
【図５】図４のＡ−Ａ線で破断した断面図である。
【図６】取り出しボタンの平面図である。
【図７】取り出しボタンの正面図である。
【図８】実施形態のカードリーダの（取り出し動作を示す）平面図である。
【図９】図８のＢ−Ｂ線で破断した断面図である。
【図１０】図８のＣ−Ｃ線で破断した断面図である。
【符号の説明】
【００１７】
１  筐体
２  スライド座部
３  取り出しボタン
１１  右側面板
１２  開口部
２１  フランジ部
２２  長孔
２３  ねじ
２４  後方バネ
２５  収納部
２６  規制部
２７  穴
３１  操作ノブ
３２  開口孔
３３  バネ嵌置部
３４  突出片
３５  バネ
３６  傾斜部
３７  ねじ
２４１  バネ固定部品
Ｅ  カードリーダ本体
Ｅ１  嵌合切欠部
Ｄ１  筐体
Ｄ２  スライド座部
Ｄ３  取り出しボタン
Ｄ２１  嵌入座体
Ｄ２２  スライド座体
Ｄ２３  後方バネ
Ｄ３１  突出片
Ｄ２２１  滑動部
【図１】
0003109572.tif 000003
【図２】
0003109572.tif 000004
【図３】
0003109572.tif 000005
【図４】
0003109572.tif 000006
【図５】
0003109572.tif 000007
【図６】
0003109572.tif 000008
【図７】
0003109572.tif 000009
【図８】
0003109572.tif 000010
【図９】
0003109572.tif 000011
【図１０】
0003109572.tif 000012